(57)【要約】      （修正有）【課題】十分な明るさを有し、諸収差が良好に補正された、５枚構成の小型の撮像レンズを提供する。【解決手段】物体側より順に、正屈折力を有し、物体側に凸面を向けた第１レンズＬ１、負屈折力を有し、物体側面は物体側に凹面を向け、像側面は像側に凸面を向けた形状または無限大である第２レンズＬ２、正屈折力を有する第３レンズＬ３、負屈折力を有し、像側に凹面を向けた第４レンズＬ４、正屈折力を有し、像側に凹面を向けた第５レンズＬ５からなり、第５レンズＬ５の像側面は非球面形状であり、光軸との交点以外の位置に変曲点を有し、以下の条件式を満足する。−０．６０＜ｆ１／ｆ４５＜−０．２５（１）、０．１＜ｆ／ｆ３＜１．０（２）、ただし、ｆ１：第１レンズＬ１の焦点距離（ｍｍ）、f４５：第４レンズＬ４と第５レンズＬ５との合成焦点距離（ｍｍ）、ｆ：撮像レンズ全系の焦点距離（ｍｍ）、ｆ３：第３レンズＬ３の焦点距離（ｍｍ）【選択図】図４
2014160158.tif 000002
【特許請求の範囲】
【請求項１】
固体撮像素子の光電変換部に被写体像を結像させるための撮像レンズであって、前記撮像レンズは物体側より順に、
正の屈折力を有し、物体側に凸面を向けた形状である第１レンズ、
負の屈折力を有し、物体側面は光軸近傍で物体側に凹面を向けた形状であり、像側面は光軸近傍で像側に凸面を向けた形状または像側面の曲率半径が無限大である第２レンズ、
正の屈折力を有する第３レンズ、
負の屈折力を有し、光軸近傍で像側に凹面を向けた形状である第４レンズ、
正の屈折力を有し、光軸近傍で像側に凹面を向けた形状である第５レンズからなり、
前記第５レンズの像側面は非球面形状であり、光軸との交点以外の位置に変曲点を有し、以下の条件式を満足することを特徴とする撮像レンズ。
−０．６０＜ｆ１／ｆ４５＜−０．２５      （１）
０．１＜ｆ／ｆ３＜１．０      （２）
ただし、
ｆ１：前記第１レンズの焦点距離（ｍｍ）
f４５：前記第４レンズと前記第５レンズとの合成焦点距離（ｍｍ）
ｆ：撮像レンズ全系の焦点距離（ｍｍ）
ｆ３：前記第３レンズの焦点距離（ｍｍ）
【請求項２】
前記第３レンズは、光軸近傍で像側に凸面を向けたメニスカス形状であることを特徴とする請求項１に記載の撮像レンズ。
【請求項３】
以下の条件式を満足することを特徴とする請求項１又は２に記載の撮像レンズ。
０．０５＜ＴＨＩＬ３／Σｄ＜０．２      （３）
ただし、
ＴＨＩＬ３：前記第３レンズの光軸上の厚み（ｍｍ）
Σｄ：前記第１レンズの物体側面から前記第５レンズの像側面までの光軸上の距離（ｍｍ）
【請求項４】
以下の条件式を満足することを特徴とする請求項１から３のいずれか１項に記載の撮像レンズ。
０．２＜Ｒ１／ｆ＜  ０．５      （４）
ただし、
Ｒ１：前記第１レンズの物体側面の曲率半径（ｍｍ）
ｆ：撮像レンズ全系の焦点距離（ｍｍ）
【請求項５】
以下の条件式を満足することを特徴とする請求項１から４のいずれか１項に記載の撮像レンズ。
０．０２＜ＴＨＩＬ２／Σｄ＜０．１２      （５）
ただし、
ＴＨＩＬ２：前記第２レンズの光軸上の厚み（ｍｍ）
Σｄ：前記第１レンズの物体側面から前記第５レンズの像側面までの光軸上の距離（ｍｍ）
【請求項６】
以下の条件式を満足することを特徴とする請求項１から５のいずれか１項に記載の撮像レンズ。
２０＜ν５−ν４＜５０      （６）
ただし、
ν５：前記第５レンズのアッベ数
ν４：前記第４レンズのアッベ数
【請求項７】
以下の条件式を満足することを特徴とする請求項１から６のいずれか１項に記載の撮像レンズ。
０．２＜ｆ／（２×ｆ１×Ｆｎｏ）＜０．４      （７）
ただし、
ｆ：撮像レンズ全系の焦点距離（ｍｍ）
ｆ１：前記第１レンズの焦点距離（ｍｍ）
Ｆｎｏ：撮像レンズ全系のＦナンバー
【請求項８】
以下の条件式を満足することを特徴とする請求項１から７のいずれか１項に記載の撮像レンズ。
Σｄ／２Ｙ＜  ０．６      （８）
ただし、
Σｄ：前記第１レンズの物体側面から前記第５レンズの像側面までの光軸上の距離（ｍｍ）
２Ｙ：固体撮像素子の撮像面対角線長（ｍｍ）
【請求項９】
実質的にパワーを持たないレンズを更に有することを特徴とする請求項１から８のいずれか１項に記載の撮像レンズ。
【請求項１０】
請求項１から９のいずれかに１項に記載の撮像レンズと、撮像素子とを備えることを特徴とする撮像装置。
【請求項１１】
請求項１０に記載の撮像装置を備えることを特徴とする携帯端末。
【発明の詳細な説明】
【技術分野】
【０００１】
本発明は撮像レンズ、特には、ＣＣＤ型イメージセンサあるいはＣＭＯＳ型イメージセンサ等の固体撮像素子を用いた小型で高い解像度が得られる撮像レンズ、およびこれを備える撮像装置並びに携帯端末に関する。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。従来の高画素数をもつ撮像素子は、大型化をともなっていたが、近年、画素の高細化が進み、撮像素子が小型化されるようになってきた。高細化された撮像素子に使用される撮像レンズには、高細化された画素に対応するために高い解像力が要求される。レンズの解像力はＦ値により限界があるので、高解像力を得るためにＦ値の小さい明るい撮像レンズが要求されている。
【０００３】
このような高細密化された撮像素子に使用される撮像レンズは、高い解像力が要求されるが、従来のようなＦ２．８程度のＦ値では十分な性能が得られなくなってきている。このため、４枚構成のレンズに比べ大口径比化および高性能化が可能である５枚構成の撮像レンズが提案されている。
【０００４】
５枚構成の撮像レンズとして、物体側より順に正の屈折力を有する第１レンズ、負の屈折力を有する第２レンズ、正の屈折力を有する第３レンズ、正の屈折力を有する第４レンズ、負の屈折力を有する第５レンズから構成された撮像レンズが知られている（特許文献１参照）。また、物体側より順に正の屈折力を有する第１レンズ、負の屈折力を有する第２レンズ、正の屈折力を有する第３レンズ、負の屈折力を有する第４レンズ、正の屈折力を有する第５レンズから構成された撮像レンズも知られている（特許文献２〜４参照）。
【先行技術文献】
【特許文献】
【０００５】
【特許文献１】特許4858648号公報
【特許文献２】特開2009-294527号公報
【特許文献３】特開2009-294528号公報
【特許文献４】国際公開第2012/172781号パンフレット
【発明の概要】
【発明が解決しようとする課題】
【０００６】
しかしながら、特許文献１に記載された撮像レンズは、正屈折力の第１レンズ、負屈折力の第５レンズから構成される撮像レンズであって、テレフォトタイプのため小型化に有利であるが、テレセントリック特性を良好にするため第５レンズの周辺部が正屈折力を有する構成となり、第５レンズの中心部と周辺部の形状が大きく異なってしまう。そのため、製造の難易度が高くなり、製造誤差を生じやすくなってしまうという問題がある。また、特許文献２に記載された撮像レンズは、第５レンズが正の屈折力を有するため特許文献１の問題を解決でき、さらに、Ｆ２．３程度の明るい撮像レンズであるが、球面収差や歪曲収差の補正が不十分であり、さらに、撮像レンズの全長が長いため、高性能化と小型化の要求を満足できないという問題がある。また、特許文献３および特許文献４に記載された撮像レンズは、Ｆ２．８程度の明るさのため高画素の小型化された撮像素子に適した性能が得られない。さらに、撮像レンズの全長が長いという問題がある。
【０００７】
本発明は、上記した問題に鑑み、十分な明るさを有し、諸収差が良好に補正された、５枚構成の小型の撮像レンズ、該撮像レンズを備えた撮像装置、及び該撮像装置を備えた携帯端末を提供することを目的とする。
【０００８】
ここで、小型の撮像レンズの尺度であるが、本発明では下式を満たすレベルの小型化を目指している。この範囲を満たすことで、撮像装置全体の小型軽量化が可能となる。
ＴＬ／２Ｙ＜０．９      （９）
ただし、
ＴＬ：撮像レンズ全系の最も物体側のレンズ面から像側焦点までの光軸上の距離
２Ｙ：撮像面対角線長（固体撮像素子の矩形実効画素領域の対角線長）
ここで、像側焦点とは撮像レンズに光軸と平行な平行光線が入射した場合の像点をいう。
【０００９】
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記ＴＬの値を計算するものとする。また、より望ましくは下式の範囲が良い。
ＴＬ／２Ｙ＜０．８      （９）’
【課題を解決するための手段】
【００１０】
請求項１に記載の撮像レンズは、固体撮像素子の光電変換部に被写体像を結像させるための撮像レンズであって、前記撮像レンズは物体側より順に、
正の屈折力を有し、物体側に凸面を向けた形状である第１レンズ、
負の屈折力を有し、物体側面は光軸近傍で物体側に凹面を向けた形状であり、像側面は光軸近傍で像側に凸面を向けた形状または像側面の曲率半径が無限大である第２レンズ、
正の屈折力を有する第３レンズ、
負の屈折力を有し、光軸近傍で像側に凹面を向けた形状である第４レンズ、
正の屈折力を有し、光軸近傍で像側に凹面を向けた形状である第５レンズからなり、
前記第５レンズの像側面は非球面形状であり、光軸との交点以外の位置に変曲点を有し、以下の条件式を満足することを特徴とする。
−０．６０＜ｆ１／ｆ４５＜−０．２５      （１）
０．１＜ｆ／ｆ３＜１．０      （２）
ただし、
ｆ１：前記第１レンズの焦点距離（ｍｍ）
f４５：前記第４レンズと前記第５レンズとの合成焦点距離（ｍｍ）
ｆ：撮像レンズ全系の焦点距離（ｍｍ）
ｆ３：前記第３レンズの焦点距離（ｍｍ）
【００１１】
小型で収差が良好に補正された撮像レンズを得るための本発明の構成は、物体側より順に、正の屈折力を有する第１レンズ、負の屈折力を有する第２レンズ、正の屈折力を有する第３レンズ、負の屈折力を有する第４レンズ、正の屈折力を有する第５レンズからなり、全体として対称的なパワー配置に構成されているので、歪曲収差やコマ収差を良好に補正でき有利である。また、一般的に第５レンズが負の屈折力を有する構成だと、テレセントリック特性を確保するために第５レンズの周辺部において、負の屈折力を弱めたり正の屈折力をもたせる必要があるため、第５レンズの中心部と周辺部とで形状が大きく変わり、製造が難しくなりやすいが、本発明では第５レンズが正の屈折力を有するので、かかる不具合を解消できる。さらに、レンズ５枚構成のうち２枚を負レンズとすることで、ペッツバール和の補正を容易に行うことができる。
【００１２】
又、第１レンズは、物体側に凸面を向けた形状にすることで、光学系の主点位置を物体側に配置できるため、撮像レンズ全長の小型化に有利になる。更に、第２レンズは、物体側面を物体側に凹面を向けた形状にすることで、第２レンズへの周辺光束の入射角を小さくすることができ、非点収差の発生を抑えることができる。さらに、像側面を像側に凸面を向けた形状または像側面の曲率半径が無限大の形状にすることで、軸外光束の発散を抑えられ非点収差やコマ収差の補正を容易に行うことができる。
【００１３】
又、第４レンズは、像側に凹面を向けた形状にすることで、負の屈折力が像側に配置され、いわゆるテレフォトタイプに近い構成にできるため、撮像レンズ全長の小型化に有利になる。更に、第４レンズの像側面に発散作用を持たせることができるので、軸上色収差を良好に補正することができる。
【００１４】
又、第５レンズの像側面は、像側に凹面を向けた形状にすることで、最も像側面に負の屈折力を配置できるため、第５レンズが正の屈折力を有しながらも撮像レンズ全長の小型化が可能になる。また、第５レンズの像側面は非球面形状とし、光軸との交点以外の位置に変曲点を有することで、歪曲収差の補正やテレセントリック特性が確保しやすくなる。ここでいう「変曲点」とは有効半径内でのレンズ断面形状の曲線において、非球面頂点の接平面が光軸と垂直な平面となるような非球面上の点（光軸方向断面上）のことである。
【００１５】
条件式（１）は、第１レンズの焦点距離と、第４レンズと第５レンズとの合成焦点距離の比を適切に設定するための条件式である。条件式（１）の範囲において、第４レンズと第５レンズとの合成焦点距離は負の値となり、撮像レンズ全系はテレフォトタイプ構成になり、撮像レンズ全長を短縮することができる。具体的に、条件式（１）の値が上限を下回ることで、第４レンズと第５レンズの負の屈折力を適度に維持することができ、撮像レンズ全長を短縮することができる。一方、条件式（１）の値が下限を上回ることで、第４レンズと第５レンズの負の屈折力が必要以上に強くなるのを抑えることができるので、良好なテレセントリック特性を確保することができるようになる。なお、望ましくは下式の範囲とする。
−０．５７＜ｆ１／ｆ４５＜−０．２５      （１’）
【００１６】
更に本発明では、第１レンズから第３レンズまでの構成が、正負正（正の屈折力を有するレンズ、負の屈折力を有するレンズ、正の屈折力の構成を有するレンズの組み合わせをいう、以下同様）順に配置された、いわゆるトリプレットタイプの構成となっている。そこで、条件式（２）の値が上限を下回ることで、第３レンズの屈折力が強くなりすぎず、球面収差やコマ収差を良好に補正することができる。一方、条件式（２）の値が下限を上回ることで、第３レンズの屈折力を適度に維持することができ、第１レンズから第３レンズまでで構成されたトリプレットタイプを維持でき、軸外収差を良好に補正できる。なお、望ましくは下式の範囲とする。
０．１５＜ｆ／ｆ３＜０．９      （２‘）
さらに、望ましくは下式の範囲とする。
０．２＜ｆ／ｆ３＜０．８５      （２“）
【００１７】
請求項２に記載の撮像レンズは、請求項１に記載の発明において、前記第３レンズは、光軸近傍で像側に凸面を向けたメニスカス形状であることを特徴とする。
【００１８】
第３レンズを、像側に凸面を向けたメニスカス形状にすることで、物体側面は物体側に凹面を向けた形状になり、第３レンズへの周辺光束の入射角を小さくすることができ、非点収差の発生を抑えることができる。また、像側面は像側に凸面を向けた形状になり、面の収斂作用により周辺光束の主光線入射角度を小さくできるため、また、軸外光線の屈折角を小さく抑えながら第４レンズに導くことができるため、軸外の収差を良好に抑えることができる。
【００１９】
請求項３に記載の撮像レンズは、請求項１又は２に記載の発明において、以下の条件式を満足することを特徴とする。
０．０５＜ＴＨＩＬ３／Σｄ＜０．２      （３）
ただし、
ＴＨＩＬ３：前記第３レンズの光軸上の厚み（ｍｍ）
Σｄ：前記第１レンズの物体側面から前記第５レンズの像側面までの光軸上の距離（ｍｍ）
【００２０】
条件式（３）は、前記第３レンズの厚みを適切に設定するための条件式である。条件式（３）の値が下限を上回ることで、第３レンズの光軸上の厚みを適度に維持することができ、第３レンズの周辺部の厚みを適度に維持することができるので有効径外のフランジ厚を確保することが容易となる。一方、条件式（３）の値が上限を下回ることで、第３レンズの光軸上の厚みが大きくなりすぎず、第３レンズの前後のレンズとのクリアランスを適度に維持できると共に、撮像レンズ全長を短くすることができる。なお、望ましくは下式の範囲とする。
０．０５＜ＴＨＩＬ３／Σｄ＜０．１７      （３’）
さらに、望ましくは下式の範囲とする。
０．０５＜ＴＨＩＬ３／Σｄ＜０．１５      （３”）
【００２１】
請求項４に記載の撮像レンズは、請求項１〜３のいずれかに記載の発明において、以下の条件式を満足することを特徴とする。
０．２＜Ｒ１／ｆ＜  ０．５      （４）
ただし、
Ｒ１：前記第１レンズの物体側面の曲率半径（ｍｍ）
ｆ：撮像レンズ全系の焦点距離（ｍｍ）
【００２２】
条件式（４）は、第１レンズの物体側面の曲率半径を適切に設定し撮像レンズ全長の短縮化と収差補正とを適切に達成するための条件式である。条件式（４）の値が上限を下回ることで、第１レンズの物体側面の屈折力を適度に維持することができ、第１レンズの主点をより物体側へ配置することができ、撮像レンズ全長を短くすることができる。一方、条件式（４）の値が下限を上回ることで、第１レンズの物体側面の屈折力が必要以上に大きくなりすぎず、第１レンズで発生する、高次の球面収差やコマ収差を小さく抑えることができる。なお、望ましくは下式の範囲とする。
０．３０＜Ｒ１／ｆ＜  ０．５      （４‘）
さらに、望ましくは下式の範囲とする。
０．３６＜Ｒ１／ｆ＜  ０．４５      （４“）
さらに、第１レンズは物体側に凸面を向けたメニスカス形状を有することが、より望ましい。撮像レンズ全系の主点位置をより物体側へ寄せることができるようになるため、撮像レンズ全長の短縮化を行うことができる
【００２３】
請求項５に記載の撮像レンズは、請求項１〜４のいずれかに記載の発明において、以下の条件式を満足することを特徴とする。
０．０２＜ＴＨＩＬ２／Σｄ＜０．１２      （５）
ただし、
ＴＨＩＬ２：前記第２レンズの光軸上の厚み（ｍｍ）
Σｄ：前記第１レンズの物体側面から前記第５レンズの像側面までの光軸上の距離（ｍｍ）
【００２４】
条件式（５）は、第２レンズの光軸上の厚みを適切に設定するための条件式である。条件式（５）の値が下限を上回ることで、第２レンズの厚みが薄くなりすぎず、成形性を損なわないようにできる。一方、条件式（５）の値が上限を下回ることで、第２レンズの厚みが厚くなりすぎず、第２レンズ前後のレンズ間隔を確保しやすくなり、結果として撮像レンズ全長の短縮化を行える。なお、望ましくは下式の範囲とする。
０．０３＜ＴＨＩＬ２／Σｄ＜０．１１      （５‘）
【００２５】
請求項６に記載の撮像レンズは、請求項１〜５のいずれかに記載の発明において、以下の条件式を満足することを特徴とする。
２０＜ν５−ν４＜５０      （６）
ただし、
ν５：前記第５レンズのアッベ数
ν４：前記第４レンズのアッベ数
【００２６】
条件式（６）は、撮像レンズ全系の色収差を良好に補正するための条件式である。条件式（６）の値が下限を上回ることで、軸上色収差や倍率色収差などの色収差をバランス良く補正することができる。一方、条件式（６）の値が上限を下回ることで、入手しやすい材料で構成することができる。なお、望ましくは下式の範囲とする。
２５＜ν５−ν４＜４０      （６‘）
【００２７】
請求項７に記載の撮像レンズは、請求項１〜６のいずれかに記載の発明において、以下の条件式を満足することを特徴とする。
０．２＜ｆ／（２×ｆ１×Ｆｎｏ）＜０．４      （７）
ただし、
ｆ：撮像レンズ全系の焦点距離（ｍｍ）
ｆ１：前記第１レンズの焦点距離（ｍｍ）
Ｆｎｏ：撮像レンズ全系のＦナンバー
【００２８】
条件式（７）は、第１レンズの単体の開口数ＮＡを規定し、撮像レンズ全長の小型化と良好な収差補正を行うための条件式である。まず最初に、条件式（７）の意味について説明する。撮像レンズのＦナンバーは、
Ｆｎｏ＝ｆ／Ｄ      （１０）
と表せる。但し、
Ｆｎｏ：撮像レンズのＦナンバー
ｆ：撮像レンズ全系の焦点距離
Ｄ：入射瞳直径
で与えられる。ここで、撮像レンズ全系の焦点距離を１に規格化し、開口絞りが第１レンズ近傍に配置されていると仮定すると、第１レンズ単体のＦナンバーは、
ＦｎｏＬ１＝（ｆ１／ｆ）／（１／Ｆｎｏ）＝ｆ１／（ｆ×Ｆｎｏ）      （１１）
となる。ここで、
ＦｎｏＬ１：第１レンズ単体のＦナンバー
ｆ１：第１レンズの焦点距離
となり、開口数ＮＡは、ＮＡ＝１／（２×Ｆｎｏ）であるので、第１レンズ単体のＮＡは、
ＮＡＬ１＝１／（２×（ｆ１／（ｆ×Ｆｎｏ）））＝ｆ／（２×ｆ１×Ｆｎｏ）      （１２）
但し、
ＮＡＬ１：第１レンズ単体の開口数
である。
【００２９】
条件式（７）の値が上限を下回ることで、第１レンズ単体のＮＡが大きくなりすぎず、第１レンズで発生する球面収差を小さく抑えることができる。一方で、条件式（７）の値が下限を上回ることで、第１レンズの屈折力を適度に維持することができ、撮像レンズ全長の小型化を達成することができる。なお、望ましくは下式の範囲とする。
０．２＜ｆ／（２×ｆ１×Ｆｎｏ）＜０．３５      （７‘）
さらに、望ましくは下式の範囲とする。
０．２＜ｆ／（２×ｆ１×Ｆｎｏ）＜０．３      （７“）
【００３０】
請求項８に記載の撮像レンズは、請求項１〜７のいずれかに記載の発明において、以下の条件式を満足することを特徴とする。
Σｄ／２Ｙ＜  ０．６      （８）
ただし、
Σｄ：前記第１レンズの物体側面から前記第５レンズの像側面までの光軸上の距離（ｍｍ）
２Ｙ：固体撮像素子の撮像面対角線長（ｍｍ）
【００３１】
条件式（８）の値が上限を下回ることで、小型の撮像レンズを得ることができる。なお、望ましくは下式の範囲とする。
０．４＜Σｄ／２Ｙ＜  ０．５７    （８‘）  
【００３２】
請求項９に記載の撮像レンズは、請求項１〜８のいずれかに記載の発明において、実質的にパワーを持たないレンズを更に有することを特徴とする。つまり、請求項１の構成に、実質的に屈折力を持たないダミーレンズを付与した場合でも本発明の適用範囲内である。
【００３３】
請求項１０に記載の撮像装置は、請求項１から９のいずれかに１項に記載の撮像レンズと、撮像素子とを備えることを特徴とする。
【００３４】
請求項１１に記載の携帯端末は、請求項１０に記載の撮像装置を備えることを特徴とする。本発明の撮像装置を用いることで、より小型かつ高性能な携帯端末を得ることができる。
【発明の効果】
【００３５】
本発明によれば、十分な明るさを有し、諸収差が良好に補正された、５枚構成の小型の撮像レンズ、該撮像レンズを備えた撮像装置、及び該撮像装置を備えた携帯端末を提供することができる。
【図面の簡単な説明】
【００３６】
【図１】撮像装置１０の撮像光学系の光軸に沿った断面を模式的に示した図である。
【図２】撮像装置を適用した携帯電話の正面図（ａ）、及び撮像装置を適用した携帯電話の背面図（ｂ）である。
【図３】図２のスマートフォンの制御ブロック図である。
【図４】実施例１の撮像レンズの光軸方向断面図である。
【図５】実施例１の収差図（球面収差（ａ）、非点収差（ｂ）、歪曲収差（ｃ）である。
【図６】実施例２の撮像レンズの光軸方向断面図である。
【図７】実施例２の収差図（球面収差（ａ）、非点収差（ｂ）、歪曲収差（ｃ））である。
【図８】実施例３の撮像レンズの光軸方向断面図である。
【図９】実施例３の収差図（球面収差（ａ）、非点収差（ｂ）、歪曲収差（ｃ））である。
【図１０】実施例４の撮像レンズの光軸方向断面図である。
【図１１】実施例４の収差図（球面収差（ａ）、非点収差（ｂ）、歪曲収差（ｃ））である。
【図１２】実施例５の撮像レンズの光軸方向断面図である。
【図１３】実施例５の収差図（球面収差（ａ）、非点収差（ｂ）、歪曲収差（ｃ））である。
【図１４】実施例６の撮像レンズの光軸方向断面図である。
【図１５】実施例６の収差図（球面収差（ａ）、非点収差（ｂ）、歪曲収差（ｃ））である。
【図１６】実施例７の撮像レンズの光軸方向断面図である。
【図１７】実施例７の収差図（球面収差（ａ）、非点収差（ｂ）、歪曲収差（ｃ））である。
【図１８】実施例８の撮像レンズの光軸方向断面図である。
【図１９】実施例８の収差図（球面収差（ａ）、非点収差（ｂ）、歪曲収差（ｃ））である。
【発明を実施するための形態】
【００３７】
以下、本発明の実施の形態を図面に基づいて説明する。図１は、本実施の形態にかかる撮像装置１０の光軸に沿った断面図である。以下に示す構成は概略図であり、形状や寸法等は実際と異なるものがある。
【００３８】
図１に示すように、撮像装置１０は、光電変換部１１ａを備えた固体撮像素子としてのＣＭＯＳ型撮像素子１１と、この撮像素子１１の光電変換部１１ａに被写体像を結像させる撮像レンズ１２と、撮像レンズ１２を保持する鏡枠１３と、平行平板状であるＩＲカットフィルタ１４と、撮像素子１１を支持する基板１５とを有する。
【００３９】
図１に示すように、撮像素子１１は、平行平板状のチップ上において、その受光側（図１で上面）の中央部に、画素（光電変換素子）が２次元的に配置された、撮像面としての光電変換部１１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。
【００４０】
また、撮像素子１１のチップにおける受光面側の外縁近傍に形成された複数のパッドは、不図示のワイヤにより基板１５に接続されている。撮像素子１１は、光電変換部１１ａからの信号電荷をデジタルＹＵＶ信号等の画像信号等に変換し、不図示の外部回路（例えば、撮像装置を実装した上位装置が有する制御回路）へと送信するようになっている。又、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００４１】
図１において、鏡枠１３の内部には、５枚レンズ構成の撮像レンズ１２が設けられている。撮像レンズ１２は物体側より順に、正の屈折力を有し、物体側に凸面を向けた形状である第１レンズＬ１、負の屈折力を有し、物体側面は光軸近傍で物体側に凹面を向けた形状であり、像側面は光軸近傍で像側に凸面を向けた形状または像側面の曲率半径が無限大である第２レンズＬ２、正の屈折力を有する第３レンズＬ３、負の屈折力を有し、光軸近傍で像側に凹面を向けた形状である第４レンズＬ４、正の屈折力を有し、光軸近傍で像側に凹面を向けた形状である第５レンズＬ５からなり、第５レンズＬ５の像側面は非球面形状であり、光軸との交点以外の位置に変曲点を有し、以下の条件式を満足する。
−０．６０＜ｆ１／ｆ４５＜−０．２５      （１）
０．１＜ｆ／ｆ３＜１．０      （２）
ただし、
ｆ１：第１レンズＬ１の焦点距離（ｍｍ）
f４５：第４レンズＬ４と第５レンズＬ５との合成焦点距離（ｍｍ）
ｆ：撮像レンズ全系の焦点距離（ｍｍ）
ｆ３：第３レンズＬ３の焦点距離（ｍｍ）
【００４２】
各レンズ間には、環状のスペーサＳＰが配置され、レンズ間距離を精度良く維持している。又、第５レンズＬ５のフランジ部Ｌ５ｆの撮像素子１１側には、環状のスペーサＳＰを介してＩＲカットフィルタ１４が配置されている。ＩＲカットフィルタ１４を支持するスペーサＳＰと、撮像レンズ１２を保持する鏡枠１３の下端は、基板１５上に当接している。
【００４３】
上述した撮像装置１０の動作について説明する。図２は、撮像装置１０を携帯端末としてのスマートフォン１００に装備した状態を示す。また、図３はスマートフォン１００の制御ブロック図である。
【００４４】
撮像装置１０は、例えば、鏡枠１３の物体側端面がスマートフォン１００の背面（図２（ｂ）参照）に設けられ、液晶表示部の下方に相当する位置に配設される。
【００４５】
撮像装置１０は、外部接続端子（図３では矢印）を介して、スマートフォン１００の制御部１０１と接続され、輝度信号や色差信号等の画像信号を制御部１０１側に出力する。
【００４６】
一方、スマートフォン１００は、図３に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００４７】
スマートフォン１００は、入力キー部６０の操作によって動作し、アクチュエータ（不図示）により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９２に記憶されたり、或いはタッチパネル７０で表示され、さらには、無線通信部８０を介して映像情報として外部に送信される。
【実施例】
【００４８】
次に、上述した実施の形態に好適な実施例について説明する。但し、以下に示す実施例により本発明が限定されるものではない。
ｆ      ：撮像レンズ全系の焦点距離
ｆＢ    ：バックフォーカス
Ｆ      ：Ｆナンバー
２Ｙ    ：撮像素子の撮像面対角線長
２ω    ：最大画角
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
Ｒ      ：曲率半径
Ｄ      ：軸上面間隔
Ｎｄ    ：レンズ材料のｄ線に対する屈折率
νｄ    ：レンズ材料のアッベ数
【００４９】
各実施例において、非球面係数が記載された面が非球面形状を有する面であり、非球面の形状は、面の頂点を原点とし、光軸方向にＸ軸をとり、光軸と垂直方向の高さをｈとして以下の「数１」で表す。
【００５０】
【数１】
2014160158.tif 000003
ただし、
Ａｉ：ｉ次の非球面係数
Ｒ  ：基準曲率半径
Ｋ  ：円錐定数
【００５１】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。
また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００５２】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。
【００５３】
［表１］
実施例1
f=3.6mm    fB=0.28mm    F=2.2      2Y=5.8mm 
ENTP=0mm    EXTP=-2.86mm    H1=-0.52mm    H2=-3.31mm 
面番号  R(mm)   D(mm)   Nd         νd     有効半径(mm) 
1(絞り)  ∞    -0.24                        0.82    
2*      1.451   0.54    1.54470     56.2    0.83    
3*      5.217   0.37                        0.86    
4*      -3.575  0.15    1.63470     23.9    0.87    
5*      -9.801  0.61                        0.91    
6*      -1.215  0.29    1.54470     56.2    1.11    
7*      -0.959  0.09                        1.21    
8*      2.280   0.34    1.63470     23.9    1.82    
9*      1.325   0.10                        1.97    
10*     1.057   0.39    1.54470     56.2    2.25    
11*     1.138   0.90                        2.39    
12       ∞     0.30    1.51630     64.2    2.72    
13       ∞                                 2.79    
非球面係数  
第2面                      第7面       
K=  -0.69435E+00            K=  -0.17530E+01
A4= 0.29719E-01             A4= -0.27386E-01
A6= 0.47463E-01             A6= 0.31254E-01
A8= -0.23860E+00            A8= -0.25082E-02
A10= 0.40423E+00            A10= 0.10402E-01
A12= 0.12872E-01            A12= -0.21614E-02
A14= -0.74699E+00           A14= -0.20878E-02
A16=    0.48007E+00         A16= -0.38303E-03
第3面                      第8面       
K=  0.31093E+01             K=  -0.30000E+02
A4= -0.29317E-01            A4= -0.34187E-01
A6= -0.10433E+00            A6= 0.54036E-02
A8= 0.75017E-01             A8= -0.29216E-02
A10= -0.13511E+00           A10= 0.21198E-03
A12= -0.16485E+00           A12= 0.37584E-05
A14= 0.25456E+00            A14= -0.92477E-06
A16= -0.57593E-01           A16= 0.43586E-05
第4面                      第9面       
K=  -0.92505E+00            K=  -0.30000E+02
A4= -0.63880E-01            A4= -0.32831E-01
A6= -0.13043E+00            A6= 0.19616E-02
A8= -0.14981E-02            A8= -0.13395E-02
A10= 0.10873E+00            A10= 0.45430E-04
A12= -0.83514E-01           A12= 0.11556E-04
A14= 0.40102E+00            A14= 0.11556E-05
A16= -0.24897E+00           A16= -0.35795E-07
第5面                      第10面      
K=  0.23618E+02             K=  -0.17317E+02
A4= 0.47163E-01             A4= -0.52141E-01
A6= -0.49650E-01            A6= 0.58317E-02
A8= 0.44053E-01             A8= 0.51924E-03
A10= 0.70013E-01            A10= -0.20370E-04
A12= 0.12291E-01            A12= -0.68787E-05
A14= 0.45149E-01            A14= -0.68953E-06
A16= -0.78907E-03           A16= 0.69641E-07
第6面                      第11面      
K=  -0.56460E+01            K=  -0.78615E+01
A4= -0.85657E-01            A4= -0.45509E-01
A6= 0.12010E+00             A6= 0.66991E-02
A8= -0.92750E-01            A8= -0.61862E-03
A10= 0.39891E-01            A10= -0.70517E-05
A12= -0.16385E-01           A12= 0.35355E-05
A14= 0.31309E-02            A14= 0.73086E-06
A16= -0.32607E-02           A16= -0.60838E-07
単レンズデータ 
レンズ  始面    焦点距離(mm) 
1       2       3.51 
2       4      -8.95 
3       6       5.97  
4       8      -5.78  
5      10      10.11  
【００５４】
図４は実施例１のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００５５】
図５は、実施例１の収差図（球面収差（ａ）、非点収差（ｂ）、歪曲収差（ｃ））である。尚、以降の収差図において、球面収差図では、実線がｄ線、点線がｇ線を表し、非点収差図では、実線Ｓがサジタル像面、点線Ｍがメリジオナル像面をあらわすものとする。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００５６】
（実施例２）
実施例２の撮像レンズのレンズデータを、表２に示す。
【００５７】
［表２］
実施例2 
f=2.88mm    fB=0.13mm    F=2.4      2Y=4.5mm    
ENTP=0mm    EXTP=-2.29mm    H1=-0.55mm    H2=-2.75mm 
面番号  R(mm)   D(mm)   Nd         νd     有効半径(mm)    
1(絞り)  ∞    -0.16                        0.60    
2*      1.143   0.39    1.54470     56.2    0.61    
3*      4.574   0.31                        0.64    
4*      -2.747  0.12    1.63470     23.9    0.65    
5*      -8.000  0.45                        0.70    
6*      -1.155  0.27    1.54470     56.2    0.88    
7*      -0.885  0.18                        0.97    
8*      2.013   0.31    1.63470     23.9    1.46    
9*      0.835   0.04                        1.62    
10*     0.645   0.31    1.54470     56.2    1.84    
11*     0.883   0.70                        1.93    
12       ∞     0.30    1.51630     64.2    2.12    
13       ∞                                 2.19    
非球面係数 
第2面                      第7面       
K=  -0.72146E+00            K=  -0.17316E+01
A4= 0.55078E-01             A4= -0.50878E-01
A6= 0.14599E+00             A6= 0.10303E+00
A8= -0.11151E+01            A8= -0.42951E-02
A10= 0.28676E+01            A10= 0.80169E-01
A12= -0.42175E+00           A12= -0.28911E-01
A14= -0.14090E+02           A14= -0.44351E-01
A16= 0.14598E+02            A16= -0.12401E-01
第3面                      第8面       
K=  -0.61615E-01            K=  -0.26472E+02
A4= -0.60728E-01            A4= -0.75510E-01
A6= -0.34610E+00            A6= 0.21785E-01
A8= 0.31408E+00             A8= -0.12179E-01
A10= -0.11493E+01           A10= 0.23531E-02
A12= -0.20543E+01           A12= 0.17653E-03
A14= 0.44990E+01            A14= -0.85641E-04
A16= -0.16583E+01           A16= 0.23499E-04
第4面                      第9面       
K=  -0.53423E+00            K=  -0.30000E+02
A4= -0.12707E+00            A4= -0.51645E-01
A6= -0.38709E+00            A6= 0.33712E-02
A8= -0.14325E-01            A8= -0.49156E-02
A10= 0.76860E+00            A10= 0.63867E-03
A12= -0.10471E+01           A12= 0.83211E-04
A14= 0.73947E+01            A14= 0.30887E-05
A16= -0.58480E+01           A16= -0.15734E-05
第5面                      第10面      
K=  -0.20389E+02            K=  -0.15421E+02
A4= 0.10543E+00             A4= -0.84311E-01
A6= -0.16355E+00            A6= 0.15764E-01
A8= 0.22030E+00             A8= 0.19327E-02
A10= 0.57006E+00            A10= -0.15771E-03
A12= 0.25279E+00            A12= -0.58927E-04
A14= 0.94771E+00            A14= -0.78689E-05
A16= -0.24238E+00           A16= 0.16032E-05
第6面                      第11面      
K=  -0.73290E+01            K=  -0.65195E+01
A4= -0.15697E+00            A4= -0.76482E-01
A6= 0.37130E+00             A6= 0.15709E-01
A8= -0.43856E+00            A8= -0.19711E-02
A10= 0.29492E+00            A10= 0.13091E-03
A12= -0.20174E+00           A12= 0.40477E-04
A14= 0.51109E-01            A14= 0.86497E-05
A16= -0.47809E-01           A16= -0.30765E-05
単レンズデータ 
レンズ  始面    焦点距離(mm) 
1       2       2.69 
2       4      -6.65 
3       6       5.14 
4       8      -2.50 
5      10       3.01 
【００５８】
図６は実施例２のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００５９】
図７は、実施例２の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００６０】
（実施例３）
実施例３の撮像レンズのレンズデータを、表３に示す。
【００６１】
［表３］
実施例3  
f=3.59mm    fB=0.13mm    F=2.04      2Y=5.8mm  
ENTP=0mm    EXTP=-2.81mm    H1=-0.79mm    H2=-3.46mm 
面番号  R(mm)   D(mm)   Nd         νd     有効半径(mm)    
1(絞り)  ∞    -0.26                        0.88    
2*      1.486   0.64    1.54470     56.2    0.91    
3*      5.836   0.35                        0.94    
4*      -3.604  0.20    1.63470     23.9    0.94    
5*      -6.199  0.52                        0.95    
6*      -1.179  0.30    1.54470     56.2    1.12    
7*      -1.055  0.05                        1.26    
8*      2.052   0.40    1.63470     23.9    1.70    
9*      1.266   0.16                        1.99    
10*     1.167   0.43    1.54470     56.2    2.23    
11*     1.291   0.90                        2.34    
12       ∞     0.30    1.51630     64.2    2.78    
13       ∞                                 2.84    
非球面係数  
第2面                      第7面       
K=  -0.74695E+00            K=  -0.21793E+01
A4= 0.27818E-01             A4= -0.97965E-02
A6= 0.39760E-01             A6= 0.39464E-01
A8= -0.24455E+00            A8= 0.19959E-03
A10= 0.42177E+00            A10= 0.11266E-01
A12= 0.37587E-01            A12= -0.18920E-02
A14= -0.73643E+00           A14= -0.19948E-02
A16= 0.46074E+00            A16= -0.26926E-03
第3面                      第8面       
K=  0.31658E+01             K=  -0.30000E+02
A4= -0.30619E-01            A4= -0.47514E-01
A6= -0.10467E+00            A6= 0.67460E-02
A8= 0.81265E-01             A8= -0.34206E-02
A10= -0.12469E+00           A10= 0.87284E-04
A12= -0.14417E+00           A12= 0.14739E-04
A14= 0.26306E+00            A14= 0.11590E-04
A16= -0.68061E-01           A16= 0.72662E-05
第4面                      第9面       
K=  0.29954E+00             K=  -0.19707E+02
A4= -0.67367E-01            A4= -0.34435E-01
A6= -0.11856E+00            A6= 0.68884E-03
A8= 0.42311E-02             A8= -0.97500E-03
A10= 0.10844E+00            A10= 0.10904E-03
A12= -0.82652E-01           A12= 0.50098E-05
A14= 0.39568E+00            A14= -0.44825E-05
A16= -0.26514E+00           A16= 0.38179E-06
第5面                      第10面      
K=  0.25635E+02             K=  -0.14560E+02
A4= 0.40834E-01             A4= -0.74404E-01
A6= -0.48788E-01            A6= 0.78732E-02
A8= 0.45768E-01             A8= 0.92110E-03
A10= 0.67899E-01            A10= -0.42068E-04
A12= 0.32107E-02            A12= -0.13947E-04
A14= 0.38144E-01            A14= -0.11589E-05
A16= 0.94667E-02            A16= 0.20815E-06
第6面                      第11面      
K=  -0.67420E+01            K=  -0.87695E+01
A4= -0.59360E-01            A4= -0.59396E-01
A6= 0.11679E+00             A6= 0.71483E-02
A8= -0.95891E-01            A8= -0.68024E-03
A10= 0.41553E-01            A10= -0.90748E-05
A12= -0.13357E-01           A12= 0.54719E-05
A14= 0.50836E-02            A14= 0.94876E-06
A16= -0.25760E-02           A16= -0.92397E-07
単レンズデータ  
レンズ  始面    焦点距離(mm)  
1       2       3.48 
2       4     -13.98    
3       6      9.94  
4       8      -6.49  
5      10      10.03 
【００６２】
図８は実施例３のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００６３】
図９は、実施例３の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００６４】
（実施例４）
実施例４の撮像レンズのレンズデータを、表４に示す。
【００６５】
［表４］
実施例4 
f=3.6mm    fB=0.15mm    F=2.4      2Y=5.8mm 
ENTP=0mm    EXTP=-2.94mm    H1=-0.6mm    H2=-3.45mm 
面番号  R(mm)   D(mm)   Nd         νd     有効半径(mm)    
1(絞り)  ∞    -0.18                        0.75    
2*      1.450   0.48    1.54470     56.2    0.78    
3*      5.865   0.39                        0.82    
4*      -3.382  0.15    1.63470     23.9    0.84    
5*     -10.000  0.56                        0.89    
6*      -1.561  0.38    1.54470     56.2    1.12    
7*      -1.138  0.19                        1.25    
8*      3.154   0.47    1.60700     26.6    1.87    
9*      1.451   0.06                        2.10    
10*     1.122   0.43    1.54470     56.2    2.39    
11*     1.280   0.90                        2.54    
12       ∞     0.30    1.53110     62.5    2.77    
13       ∞                                 2.84    
非球面係数    
第2面                      第7面       
K=  -0.71727E+00            K=  -0.16794E+01
A4= 0.28449E-01             A4= -0.28287E-01
A6= 0.47364E-01             A6= 0.32812E-01
A8= -0.23611E+00            A8= -0.11839E-02
A10= 0.38356E+00            A10= 0.10807E-01
A12= -0.35206E-01           A12= -0.23927E-02
A14= -0.77107E+00           A14= -0.23172E-02
A16= 0.51433E+00            A16= -0.34120E-03
第3面                      第8面       
K=  -0.98860E-01            K=  -0.29406E+02
A4= -0.31114E-01            A4= -0.33640E-01
A6= -0.11317E+00            A6= 0.72216E-02
A8= 0.64322E-01             A8= -0.26240E-02
A10= -0.15444E+00           A10= 0.29690E-03
A12= -0.17445E+00           A12= 0.12559E-04
A14= 0.25166E+00            A14= -0.46890E-05
A16= -0.58774E-01           A16= 0.96596E-06
第4面                      第9面       
K=  -0.57814E+00            K=  -0.29708E+02
A4= -0.64789E-01            A4= -0.25806E-01
A6= -0.12916E+00            A6= 0.14488E-02
A8= -0.50244E-02            A8= -0.97627E-03
A10= 0.10156E+00            A10= 0.88527E-04
A12= -0.89471E-01           A12= 0.64145E-05
A14= 0.41092E+00            A14= -0.33264E-08
A16= -0.20449E+00           A16= -0.41920E-07
第5面                      第10面      
K=  -0.92153E+01            K=  -0.16533E+02
A4= 0.52871E-01             A4= -0.42519E-01
A6= -0.53058E-01            A6= 0.52370E-02
A8= 0.46514E-01             A8= 0.39230E-03
A10= 0.76663E-01            A10= -0.22845E-04
A12= 0.19269E-01            A12= -0.53226E-05
A14= 0.48741E-01            A14= -0.47977E-06
A16= -0.15463E-01           A16= 0.60440E-07
第6面                      第11面      
K=  -0.73195E+01            K=  -0.66740E+01
A4= -0.79684E-01            A4= -0.36347E-01
A6= 0.12262E+00             A6= 0.49663E-02
A8= -0.90804E-01            A8= -0.42581E-03
A10= 0.40639E-01            A10= 0.15685E-04
A12= -0.16587E-01           A12= 0.32796E-05
A14= 0.31422E-02            A14= 0.48653E-06
A16= -0.17542E-02           A16= -0.10836E-06
単レンズデータ   
レンズ  始面    焦点距離(mm) 
1       2       3.41 
2       4      -8.12 
3       6       5.86 
4       8      -4.94  
5      10       8.52 
【００６６】
図１０は実施例４のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００６７】
図１１は、実施例４の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００６８】
（実施例５）
実施例５の撮像レンズのレンズデータを、表５に示す。
【００６９】
［表５］
実施例5  
f=3.6mm    fB=0.13mm    F=2.39      2Y=5.8mm 
ENTP=0mm    EXTP=-3.09mm    H1=-0.42mm    H2=-3.46mm 
面番号  R(mm)   D(mm)   Nd         νd     有効半径(mm)    
1(絞り)  ∞    -0.17                        0.75    
2*      1.538   0.50    1.54470     56.2    0.77    
3*      7.527   0.41                        0.83    
4*      -3.206  0.23    1.63200     23.4    0.85    
5*     -10.000  0.54                        0.94    
6*      -1.544  0.44    1.54470     56.2    1.13    
7*      -1.039  0.15                        1.27    
8*      2.720   0.40    1.60700     26.6    2.12    
9*      1.288   0.07                        2.26    
10*     1.031   0.40    1.54470     56.2    2.49    
11*     1.094   1.00                        2.55    
12       ∞     0.30    1.51630     64.2    2.77    
13       ∞                                 2.84    
非球面係数   
第2面                      第7面       
K=  -0.85100E+00            K=  -0.17648E+01
A4= 0.22647E-01             A4= -0.35136E-01
A6= 0.43208E-01             A6= 0.27034E-01
A8= -0.23817E+00            A8= -0.27109E-02
A10= 0.37122E+00            A10= 0.10694E-01
A12= -0.46048E-01           A12= -0.22260E-02
A14= -0.72910E+00           A14= -0.21018E-02
A16= 0.51363E+00            A16= -0.19282E-04
第3面                      第8面       
K=  -0.10647E+02            K=  -0.30000E+02
A4= -0.34588E-01            A4= -0.20149E-01
A6= -0.11820E+00            A6= 0.82413E-02
A8= 0.73424E-01             A8= -0.24959E-02
A10= -0.14291E+00           A10= 0.31042E-03
A12= -0.16544E+00           A12= 0.12334E-04
A14= 0.25032E+00            A14= -0.58206E-05
A16= -0.73009E-01           A16= 0.39675E-06
第4面                      第9面       
K=  0.33103E-01             K=  -0.27063E+02
A4= -0.66774E-01            A4= -0.14428E-01
A6= -0.13351E+00            A6= 0.17604E-02
A8= -0.12372E-01            A8= -0.92503E-03
A10= 0.87692E-01            A10= 0.10844E-03
A12= -0.10801E+00           A12= 0.98858E-05
A14= 0.38983E+00            A14= 0.13633E-07
A16= -0.18741E+00           A16= -0.23772E-06
第5面                      第10面      
K=  0.51360E+01             K=  -0.16132E+02
A4= 0.50472E-01             A4= -0.32706E-01
A6= -0.63216E-01            A6= 0.40298E-02
A8= 0.25239E-01             A8= 0.36324E-03
A10= 0.50051E-01            A10= -0.21986E-04
A12= -0.15304E-02           A12= -0.40066E-05
A14= 0.40427E-01            A14= -0.34129E-06
A16= -0.12350E-01           A16= 0.56197E-07
第6面                      第11面      
K=  -0.77068E+01            K=  -0.64103E+01
A4= -0.88493E-01            A4= -0.36855E-01
A6= 0.12033E+00             A6= 0.54664E-02
A8= -0.92181E-01            A8= -0.30479E-03
A10= 0.39494E-01            A10= 0.59347E-05
A12= -0.17033E-01           A12= 0.31053E-07
A14= 0.33444E-02            A14= 0.48565E-06
A16= -0.13394E-02           A16= -0.54269E-07
単レンズデータ 
レンズ  始面    焦点距離(mm)  
1       2       3.45  
2       4      -7.57 
3       6       4.46 
4       8      -4.51 
5      10      10.15  
【００７０】
図１２は実施例５のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００７１】
図１３は、実施例５の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００７２】
（実施例６）
実施例６の撮像レンズのレンズデータを、表６に示す。
【００７３】
［表６］
実施例6 
f=3.6mm    fB=0.14mm    F=2.4      2Y=5.8mm 
ENTP=0mm    EXTP=-3.09mm    H1=-0.41mm    H2=-3.46mm 
面番号  R(mm)   D(mm)   Nd         νd     有効半径(mm)    
1(絞り)  ∞    -0.17                        0.75    
2*      1.542   0.47    1.54470     56.2    0.77    
3*      6.873   0.45                        0.82    
4*      -3.330  0.25    1.65000     21.4    0.86    
5*      -9.423  0.57                        0.96    
6*      -1.272  0.35    1.54470     56.2    1.13    
7*      -0.947  0.11                        1.23    
8*      2.626   0.40    1.65000     21.4    2.09    
9*      1.374   0.07                        2.24    
10*     1.078   0.45    1.54470     56.2    2.41    
11*     1.143   1.00                        2.50    
12       ∞     0.30    1.51630     64.2    2.76    
13       ∞                                 2.83    
非球面係数  
第2面                      第7面       
K=  -0.86932E+00            K=  -0.17005E+01
A4= 0.21966E-01             A4= -0.38067E-01
A6= 0.43267E-01             A6= 0.26347E-01
A8= -0.24290E+00            A8= -0.26213E-02
A10= 0.37149E+00            A10= 0.10750E-01
A12= -0.36892E-01           A12= -0.22049E-02
A14= -0.73268E+00           A14= -0.23304E-02
A16= 0.51363E+00            A16= -0.57314E-03
第3面                      第8面       
K=  -0.66472E+01            K=  -0.28594E+02
A4= -0.32843E-01            A4= -0.20729E-01
A6= -0.11044E+00            A6= 0.81009E-02
A8= 0.75390E-01             A8= -0.24620E-02
A10= -0.13664E+00           A10= 0.31231E-03
A12= -0.16222E+00           A12= 0.11705E-04
A14= 0.23380E+00            A14= -0.58420E-05
A16= -0.71481E-01           A16= 0.41152E-06
第4面                      第9面       
K=  0.41002E+00             K=  -0.30000E+02
A4= -0.68452E-01            A4= -0.17454E-01
A6= -0.13313E+00            A6= 0.27300E-02
A8= -0.27080E-02            A8= -0.89841E-03
A10= 0.92120E-01            A10= 0.10944E-03
A12= -0.11083E+00           A12= 0.94472E-05
A14= 0.36810E+00            A14= -0.11755E-06
A16= -0.18566E+00           A16= -0.30624E-06
第5面                      第10面      
K=  0.30000E+02             K=  -0.17872E+02
A4= 0.42131E-01             A4= -0.33743E-01
A6= -0.60828E-01            A6= 0.40567E-02
A8= 0.22536E-01             A8= 0.39007E-03
A10= 0.43083E-01            A10= -0.22056E-04
A12= -0.64358E-02           A12= -0.44547E-05
A14= 0.38792E-01            A14= -0.40427E-06
A16= -0.72878E-02           A16= 0.59122E-07
第6面                      第11面      
K=  -0.56210E+01            K=  -0.70101E+01
A4= -0.88723E-01            A4= -0.35765E-01
A6= 0.11878E+00             A6= 0.56829E-02
A8= -0.94002E-01            A8= -0.45224E-03
A10= 0.39018E-01            A10= -0.82503E-05
A12= -0.16587E-01           A12= 0.23369E-05
A14= 0.31178E-02            A14= 0.69733E-06
A16= -0.27194E-02           A16= -0.64435E-07
単レンズデータ    
レンズ  始面    焦点距離(mm) 
1       2       3.54
2       4      -8.05 
3       6       4.93 
4       8      -5.07 
5      10      10.11  
【００７４】
図１４は実施例６のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００７５】
図１５は、実施例６の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００７６】
（実施例７）
実施例７の撮像レンズのレンズデータを、表７に示す。
【００７７】
［表７］
実施例7 
f=2.97mm    fB=0.16mm    F=2.4      2Y=4.5mm 
ENTP=0mm    EXTP=-2.02mm    H1=-1.09mm    H2=-2.81mm 
面番号  R(mm)   D(mm)   Nd         νd     有効半径(mm)    
1(絞り)  ∞    -0.15                        0.62    
2*      1.206   0.42    1.54470     56.2    0.62    
3*      33.159  0.12                        0.66    
4*      -3.696  0.24    1.63470     23.9    0.66    
5*     -16.166  0.26                        0.70    
6*      -5.956  0.19    1.54470     56.2    0.73    
7*      -2.830  0.17                        0.79    
8*      -2.845  0.53    1.63470     23.9    0.85    
9*      8.236   0.12                        1.30    
10*     0.981   0.61    1.54470     56.2    1.57    
11*     1.060   0.60                        1.78    
12       ∞     0.18    1.51630     64.1    2.11    
13       ∞                                 2.16    
非球面係数  
第2面                      第7面       
K=  -0.59722E+00            K=  0.10420E+02
A4= 0.57732E-02             A4= 0.10463E+01
A6= 0.40053E-01             A6= -0.59182E+01
A8= -0.56088E+00            A8= 0.17286E+02
A10= 0.89438E+00            A10= -0.33149E+02
A12= -0.55052E+00           A12= 0.35818E+02
A14= -0.30495E+01           A14= -0.13881E+02
第3面                      第8面       
K=  -0.10854E+02            K=  -0.29687E+02
A4= -0.20562E+00            A4= 0.92558E+00
A6= -0.84893E-01            A6= -0.40901E+01
A8= 0.29531E+00             A8= 0.99010E+01
A10= -0.22693E+01           A10= -0.17335E+02
A12= 0.96656E+00            A12= 0.16787E+02
A14= 0.20015E+01            A14= -0.66444E+01
第4面                      第9面       
K=  0.23712E+02             K=  0.24774E+02
A4= -0.14932E+00            A4= -0.18129E+00
A6= 0.39750E+00             A6= 0.45005E+00
A8= 0.11453E+01             A8= -0.83817E+00
A10= -0.68729E+01           A10= 0.72232E+00
A12= 0.10687E+02            A12= -0.28808E+00
A14= -0.22716E+01           A14= 0.43514E-01
第5面                      第10面      
K=  0.30000E+02             K=  -0.53948E+01
A4= -0.86700E-01            A4= -0.36790E+00
A6= 0.13000E+00             A6= 0.25446E+00
A8= 0.23800E+01             A8= -0.16628E+00
A10= -0.10660E+02           A10= 0.92591E-01
A12= 0.18953E+02            A12= -0.27438E-01
A14= -0.12886E+02           A14= 0.31348E-02
第6面                      第11面      
K=  0.58984E+02             K=  -0.19102E+01
A4= 0.20864E+00             A4= -0.39720E+00
A6= -0.35245E+01            A6= 0.32425E+00
A8= 0.15502E+02             A8= -0.21209E+00
A10= -0.41966E+02           A10= 0.88368E-01
A12= 0.61038E+02            A12= -0.20621E-01
A14= -0.33886E+02           A14= 0.20185E-02
単レンズデータ  
レンズ  始面    焦点距離(mm) 
1       2       2.29 
2       4      -7.61 
3       6       9.69 
4       8      -3.27 
5      10       6.49  
【００７８】
図１６は実施例７のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は光軸近傍で像側に凸面を向けた形状である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００７９】
図１７は、実施例７の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００８０】
（実施例８）
実施例８の撮像レンズのレンズデータを、表８に示す。
【００８１】
［表８］
実施例  8  
f=2.72mm    fB=0.1mm    F=2.3      2Y=4.5mm 
ENTP=0mm    EXTP=-2.21mm    H1=-0.48mm    H2=-2.62mm 
面番号  R(mm)   D(mm)   Nd         νd     有効半径(mm)    
1(絞り)  ∞    -0.15                        0.59    
2*      1.154   0.37    1.54470     56.2    0.62    
3*      4.564   0.26                        0.64    
4*      -4.530  0.12    1.64000     23.3    0.64    
5*       ∞     0.40                        0.70    
6*      -2.431  0.34    1.54470     56.2    0.78    
7*      -1.347  0.09                        0.92    
8*      7.957   0.17    1.64000     23.3    1.24    
9*      2.076   0.22                        1.41    
10*     1.008   0.67    1.53050     55.7    1.76    
11*     1.083   0.50                        2.01    
12       ∞     0.30    1.51630     64.2    2.16    
13       ∞                                 2.22    
非球面係数   
第2面                      第7面       
K=  0.40987E+00             K=  0.84966E+00
A4= 0.70534E-03             A4= -0.14432E+00
A6= -0.89973E-02            A6= 0.28105E+00
A8= 0.94982E-01             A8= -0.75778E-01
A10= -0.75851E-01           A10= -0.13146E+00
A12= -0.80642E+00           A12= 0.16471E+00
第3面                      第8面       
K=  0.51449E+01             K=  0.27882E+02
A4= -0.21246E-02            A4= 0.56667E-01
A6= -0.14469E+00            A6= -0.10502E+00
A8= -0.26000E-01            A8= 0.23464E-01
A10= 0.19416E+00            A10= -0.66291E-02
A12= -0.29527E+01           A12= -0.12780E-01
A14= 0.53447E-02
第4面                      第9面       
K=  0.26964E+02             K=  -0.26088E+02
A4= -0.80502E-01            A4= 0.24555E-02
A6= -0.14521E+00            A6= -0.28313E-01
A8= -0.26954E+00            A8= -0.12326E-01
A10= -0.64051E+00           A10= -0.40165E-02
A12= -0.80769E+00           A12= 0.58886E-02
A14= -0.11259E-02
第5面                      第10面      
K=  -0.15000E+02            K=  -0.51664E+01
A4= 0.10040E-01             A4= -0.14403E+00
A6= 0.96773E-01             A6= -0.85614E-02
A8= -0.32571E+00            A8= 0.18634E-01
A10= -0.20901E+00           A10= 0.22288E-02
A12= 0.74575E+00            A12= -0.11350E-02
A14= -0.47309E-03
A16= 0.11907E-03
第6面                      第11面      
K=  0.86229E+01             K=  -0.73043E+00
A4= -0.20962E+00            A4= -0.31543E+00
A6= 0.35252E+00             A6= 0.10990E+00
A8= -0.49232E-01            A8= -0.30808E-01
A10= -0.24414E+00           A10= 0.84943E-03
A12= 0.19320E+00            A12= 0.82198E-03
A14= 0.66399E-04
A16= -0.36832E-04
単レンズデータ   
レンズ  始面    焦点距離(mm) 
1       2       2.73  
2       4      -7.08 
3       6       4.99  
4       8      -4.44 
5      10       6.70 
【００８２】
図１８は実施例８のレンズの断面図である。図中、Ｌ１は，正の屈折力を有し、物体側に凸面を向けた形状である第１レンズ、Ｌ２は、負の屈折力を有し、物体側面は光軸近傍で物体側に凹面を向けた形状であり、像側面は像側面の曲率半径が無限大である第２レンズ、Ｌ３は、正の屈折力を有する第３レンズ、Ｌ４は、負の屈折力を有し、光軸近傍で像側に凹面を向けた形状である第４レンズ、Ｌ５は、正の屈折力を有し、光軸近傍で像側に凹面を向けた形状である第５レンズである。Sは開口絞り、Iは撮像面を示す。また、Ｆは光学的ローパスフィルタやＩＲカットフィルタ、固体撮像素子のシールガラス等を想定した平行平板である。
【００８３】
図１９は、実施例８の収差図（球面収差（ａ）、非点収差（ｂ）、歪曲収差（ｃ））である。本実施例において、第５レンズＬ５の像側面は非球面形状であり、光軸との交点以外の位置に変曲点を有する。第３レンズＬ３は、光軸近傍で像側に凸面を向けたメニスカス形状である。第１レンズＬ１は、物体側に凸面を向けたメニスカス形状である。
【００８４】
各条件式に対応する各実施例の値を表９に示す。
【００８５】
【表９】
2014160158.tif 000004
【００８６】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。
【産業上の利用可能性】
【００８７】
本発明は、小型の携帯端末に好適な撮像レンズを提供できる。
【符号の説明】
【００８８】
１０ 撮像装置
１１ａ 光電変換部
１１ 撮像素子
１２ 撮像レンズ
１３ 鏡枠
１５ 基板
６０            入力キー部
６５            表示部
７０            タッチパネル
７１            レリーズボタン
８０            無線通信部
９２            記憶部
１００            スマートフォン
１０１            制御部
Ｉ  撮像面
Ｆ 平行平板
Ｌ１〜Ｌ５ レンズ
Ｓ 開口絞り
ＳＰ  スペーサ
【図１】
2014160158.tif 000005
【図２】
2014160158.tif 000006
【図３】
2014160158.tif 000007
【図４】
2014160158.tif 000008
【図５】
2014160158.tif 000009
【図６】
2014160158.tif 000010
【図７】
2014160158.tif 000011
【図８】
2014160158.tif 000012
【図９】
2014160158.tif 000013
【図１０】
2014160158.tif 000014
【図１１】
2014160158.tif 000015
【図１２】
2014160158.tif 000016
【図１３】
2014160158.tif 000017
【図１４】
2014160158.tif 000018
【図１５】
2014160158.tif 000019
【図１６】
2014160158.tif 000020
【図１７】
2014160158.tif 000021
【図１８】
2014160158.tif 000022
【図１９】
2014160158.tif 000023